(57)【要約】【課題】  操作画面を表示しつつアンテナの位置を通知すること。【解決手段】  ＭＦＰは、画像を表示可能な表示部と、表示部の表示面の上方または下方の面に設けられたアンテナと、ユーザーによる設定を受け付けるための操作画面を表示部に表示する画面表示部５３と、操作画面が表示されている状態で、アンテナの位置を示す指示画像を表示する指示画像表示部５５と、を備える。【選択図】        図７
2018114622.tif 000002
【特許請求の範囲】
【請求項１】
画像を表示可能な表示手段と、
前記表示手段の表示面の上方または下方の面に設けられたアンテナと、
ユーザーによる設定を受け付けるための操作画面を前記表示手段に表示する画面表示手段と、
前記操作画面が表示されている状態で、前記アンテナの位置を示す指示画像を表示する指示画像表示手段と、を備えた情報処理装置。
【請求項２】
前記操作画面は、１以上の構成部品から構成されており、
前記表示手段の表示面中で配置される位置が前記アンテナに対応する位置に定められており、かつ、形状およびサイズが予め定められた基準画像と前記操作画面に含まれる１以上の構成部品いずれかとの重なりを検出する重なり検出手段を、さらに備え、
前記指示画像表示手段は、前記検出手段により重なりが検出される場合と検出されない場合とで表示態様を異ならせて前記指示画像を表示する、請求項１に記載の情報処理装置。
【請求項３】
前記指示画像表示手段は、前記検出手段によって重なりが検出されない場合、前記基準画像を前記指示画像に決定し、前記重なりが検出される場合、前記操作画面中で前記基準画像と重なる重畳部分において前記操作画面に含まれる１以上の構成部品の少なくとも形状が表示される表示態様となるように前記基準画像に基づいて生成した画像を前記指示画像に決定する、請求項２に記載の情報処理装置。
【請求項４】
前記指示画像表示手段は、前記重なりが検出される場合、前記基準画像の形状およびサイズの１以上を変更した画像を前記指示画像に決定する、請求項３に記載の情報処理装置。
【請求項５】
前記指示画像表示手段は、前記重なりが検出される場合、前記操作画面中で前記基準画像が配置される重畳部分の色に基づいて決定された色を前記基準画像に付加した画像を前記指示画像に決定する、請求項３または４に記載の情報処理装置。
【請求項６】
前記指示画像表示手段は、前記検出手段によって重なりが検出されない場合、前記指示画像を継続して表示し、前記検出手段によって重なりが検出される場合、前記指示画像を断続的に表示する、請求項２に記載の情報処理装置。
【請求項７】
前記指示画像表示手段は、前記検出手段によって重なりが検出されない場合、前記操作画面中で前記基準画像が配置される重畳部分に代えて前記指示画像を表示する、請求項３〜６のいずれかに記載の情報処理装置。
【請求項８】
前記検出手段によって重なりが検出される場合、前記基準画像の表示態様が変更されたことを通知する通知手段を、さらに備えた請求項３〜７のいずれかに記載の情報処理装置。
【請求項９】
前記操作画面は、１以上の構成部品から構成されており、
前記表示手段の表示面中で配置される位置が前記アンテナに対応する位置に定められており、かつ、形状およびサイズが予め定められた基準画像と前記操作画面に含まれる１以上の構成部品いずれかとの重なりを検出する重なり検出手段を、さらに備え、
前記指示画像表示手段は、前記検出手段により重なりが検出される場合と検出されない場合とで、異なる画像を前記指示画像に決定する、請求項１に記載の情報処理装置。
【請求項１０】
前記指示画像表示手段は、前記検出手段によって重なりが検出されない場合、前記基準画像を前記指示画像に決定し、前記検出手段によって重なりが検出される場合、前記表示手段の表示面中で配置される位置が前記操作画面に含まれる１以上の構成部品のいずれとも重ならない空白領域内であって、前記表示手段の表示面中でアンテナに対応する位置との相対的な位置を示す相対位置指示画像を前記指示画像に決定する、請求項８に記載の情報処理装置。
【請求項１１】
前記指示画像表示手段は、前記表示される操作画面が予め定められた要求画面の場合、前記指示画像を強調した表示態様で表示する、請求項１〜１０のいずれかに記載の情報処理装置。
【請求項１２】
前記アンテナに接続された通信手段を、さらに備え、
前記指示画像表示手段は、前記通信手段が外部の装置を検出してから通信が終了するまで前記指示画像を強調した表示態様で表示する、請求項１〜１１のいずれかに記載の情報処理装置。
【請求項１３】
画像を表示可能な表示手段と、
前記表示手段の表示面の上方または下方の面に設けられたアンテナと、
前記アンテナに接続された通信手段と、
１以上の構成部品から構成され操作画面を前記表示手段に表示する画面表示手段と、
前記表示手段の表示面中で配置される位置が前記アンテナに対応する位置に定められており、かつ、形状およびサイズが予め定められた基準画像と前記操作画面に含まれる１以上の構成部品いずれかとの重なりを検出する重なり検出手段と、
前記検出手段により重なりが検出される場合、前記操作画面に前記基準画像を配置した参考画像を前記通信手段により検出された外部の装置に表示させるために、前記参考画像を前記外部の装置に送信する送信制御手段と、を備えた情報処理装置。
【請求項１４】
情報処理装置で実行される操作位置通知方法であって、
前記情報処理装置は、画像を表示可能な表示手段と、
前記表示手段の表示面の上方または下方の面に設けられたアンテナと、を備え、
ユーザーによる設定を受け付けるための操作画面を前記表示手段に表示する画面表示ステップと、
前記操作画面が表示されている状態で、前記アンテナの位置を示す指示画像を表示する指示画像表示ステップと、を含む操作位置通知方法。
【請求項１５】
情報処理装置を制御するコンピューターで実行される操作位置通知プログラムであって、
前記情報処理装置は、画像を表示可能な表示手段と、
前記表示手段の表示面の上方または下方の面に設けられたアンテナと、を備え、
ユーザーによる設定を受け付けるための操作画面を前記表示手段に表示する画面表示ステップと、
前記操作画面が表示されている状態で、前記アンテナの位置を示す指示画像を表示する指示画像表示ステップと、を前記コンピューターに実行させる操作位置通知プログラム。
【発明の詳細な説明】
【技術分野】
【０００１】
この発明は、情報処理装置、操作位置表示方法および操作位置表示プログラムに関し、特に、外部の装置と無線接続が可能な情報処理装置、その情報処理装置で実行される操作位置表示方法および操作位置表示プログラムに関する。
【背景技術】
【０００２】
近年、ユーザーが携帯するスマートフォン、ＰＤＡ（Ｐｅｒｓｏｎａｌ  Ｄｉｇｉｔａｌ  Ａｓｓｉｓｔａｎｔ）等の携帯装置で、ＭＦＰ（Ｍｕｌｔｉ  Ｆｕｎｃｔｉｏｎ  Ｐｅｒｉｆｅｒａｌ）等の画像処理装置と通信して、ＭＦＰを遠隔操作することが可能であり、この場合に、画像処理装置と携帯装置との間で通信を開始するためのトリガーとして相互に相手方を特定するための技術としてＮＦＣ（Ｎｅａｒ  Ｆｉｅｌｄ  Ｃｏｍｍｕｎｉｃａｔｉｏｎ）が知られている。
【０００３】
例えば、特表２０１５−５２２９５７号公報には、無線通信の方法であって、デバイスが、遠隔の近距離通信（ＮＦＣ）デバイスと通信するためにＮＦＣアクションを実施することを試みていることを検出することと、デバイスがＮＦＣアクションを実施することを試みているという決定に応答して、デバイスの第２の面におけるアンテナ位置に対応するデバイスの第１の面における第１の位置を示すための第１の感覚キューを提供することと、デバイスが実施することを試みているＮＦＣアクションのタイプを決定することと、および決定されたタイプのＮＦＣアクションに関連する１以上のファクタに基づいて、デバイスの第１の面上に第２の位置を示す第２の感覚キューを提供する無線通信方法が記載されている。
【０００４】
一方、ＭＦＰにおいては、ＬＣＤ等の表示装置の表示面の大画面化が要求されており、操作パネルに占めるＬＣＤの面積が大きくなり、ＮＦＣのアンテナを設置するスペースが制限されるといった課題がある。この課題に対応して、表示面の裏側にアンテナを設置することが考えられる。この場合に、特表２０１５−５２２９５７号公報に記載の技術を用いればアンテナの位置をユーザーに知らせることができるが、表示装置には操作画面が表示されるため、操作画面を表示している間、アンテナの位置をユーザーに知らせることができないといった問題がある。
【特許文献１】特表２０１５−５２２９５７号公報
【発明の概要】
【発明が解決しようとする課題】
【０００５】
この発明は上述した問題点を解決するためになされたもので、この発明の目的の１つは、操作画面を表示しつつアンテナの位置を通知することが可能な情報処理装置を提供することである。
【０００６】
この発明の他の目的は、操作画面を表示しつつアンテナの位置を通知することが可能な操作位置表示方法を提供することである。
【０００７】
この発明のさらに他の目的は、操作画面を表示しつつアンテナの位置を通知することが可能な操作位置表示プログラムを提供することである。
【課題を解決するための手段】
【０００８】
上述した目的を達成するためにこの発明のある局面によれば、情報処理装置は、画像を表示可能な表示手段と、表示手段の表示面の上方または下方の面に設けられたアンテナと、ユーザーによる設定を受け付けるための操作画面を表示手段に表示する画面表示手段と、操作画面が表示されている状態で、アンテナの位置を示す指示画像を表示する指示画像表示手段と、を備える。
【０００９】
この局面に従えば、操作画面が表示されている状態で、表示面の上方または下方の面に設けられたアンテナの位置を示す指示画像を表示するので、操作画面を表示しつつアンテナの位置を通知することが可能な情報処理装置を提供することができる。
【００１０】
好ましくは、操作画面は、１以上の構成部品から構成されており、表示手段の表示面中で配置される位置がアンテナに対応する位置に定められており、かつ、形状およびサイズが予め定められた基準画像と操作画面に含まれる１以上の構成部品いずれかとの重なりを検出する重なり検出手段を、さらに備え、指示画像表示手段は、検出手段により重なりが検出される場合と検出されない場合とで表示態様を異ならせて指示画像を表示する。
【００１１】
この局面に従えば、基準画像と操作画面に含まれる１以上の構成部品いずれかとが重なる場合と重ならない場合とで、指示画像と構成部品とのいずれかを優先して表示させることができる。
【００１２】
好ましくは、指示画像表示手段は、検出手段によって重なりが検出されない場合、基準画像を指示画像に決定し、重なりが検出される場合、操作画面中で基準画像と重なる重畳部分において操作画面に含まれる１以上の構成部品の少なくとも形状が表示される表示態様となるように基準画像に基づいて生成した画像を指示画像に決定する。
【００１３】
この局面に従えば、基準画像と構成部品とが重ならない場合、基準画像が指示画像として表示され、基準画像と構成部品とが重なる場合は、操作画面中で基準画像と重なる重畳部分において１以上の構成部品の少なくとも形状が表示される表示態様となるように基準画像に基づいて生成した画像が指示画像として表示される。このため、操作画面に含まれる１以上の構成部品の少なくとも形状が表示されるので、操作画面を見やすく表示することができる。
【００１４】
好ましくは、指示画像表示手段は、重なりが検出される場合、基準画像の形状およびサイズの１以上を変更した画像を指示画像に決定する。
【００１５】
この局面に従えば、基準画像と構成部品とが重なる場合、基準画像の形状およびサイズの１以上を変更した画像を指示画像に決定する。
【００１６】
このため、基準画像に基づいて生成された指示画像が表示されるので、指示画像が基準画像の代わりに表示されていることをユーザーに知らせることができ、アンテナの位置を示すことができる。
【００１７】
好ましくは、指示画像表示手段は、重なりが検出される場合、操作画面中で基準画像が配置される重畳部分の色に基づいて決定された色を基準画像に付加した画像を指示画像に決定する。
【００１８】
この局面に従えば、基準画像の色を変更した画像を指示画像として表示するので、指示画像が基準画像であることをユーザーに知らせることができ、アンテナの位置を示すことができる。
【００１９】
好ましくは、指示画像表示手段は、検出手段によって重なりが検出されない場合、指示画像を継続して表示し、検出手段によって重なりが検出される場合、指示画像を断続的に表示する。
【００２０】
この局面に従えば、基準画像と構成部品とが重なる場合、指示画像が断続的に表示されるので、指示画像が表示されていない場合に、構成部品を表示することができる。
【００２１】
好ましくは、指示画像表示手段は、検出手段によって重なりが検出されない場合、操作画面中で基準画像が配置される重畳部分に代えて指示画像を表示する。
【００２２】
この局面に従えば、基準画像と構成部品とが重ならない場合、基準画像が指示画像として操作画面に重畳して表示されるので、指示画像を操作画面よりも優先して表示することができ、アンテナの位置を示すことができる。
【００２３】
好ましくは、検出手段によって重なりが検出される場合、基準画像の表示態様が変更されたことを通知する通知手段を、さらに備える。
【００２４】
好ましくは、操作画面は、１以上の構成部品から構成されており、表示手段の表示面中で配置される位置がアンテナに対応する位置に定められており、かつ、形状およびサイズが予め定められた基準画像と操作画面に含まれる１以上の構成部品いずれかとの重なりを検出する重なり検出手段を、さらに備え、指示画像表示手段は、検出手段により重なりが検出される場合と検出されない場合とで、異なる画像を指示画像に決定する。
【００２５】
この局面に従えば、基準画像と操作画面に含まれる１以上の構成部品いずれかとが重なる場合と重ならない場合とで、指示画像と構成部品とのいずれかを優先して表示させることができる。
【００２６】
好ましくは、指示画像表示手段は、検出手段によって重なりが検出されない場合、基準画像を指示画像に決定し、検出手段によって重なりが検出される場合、表示手段の表示面中で配置される位置が操作画面に含まれる１以上の構成部品のいずれとも重ならない空白領域内であって、表示手段の表示面中でアンテナに対応する位置との相対的な位置を示す相対位置指示画像を指示画像に決定する。
【００２７】
この局面に従えば、基準画像と構成部品とが重ならない場合、基準画像が指示画像として表示され、基準画像と構成部品とが重なる場合は、操作画面中で空白領域に指示画像が表示されるので、構成部品と指示画像とを同時に表示することができる。また、指示画像をアンテナに対応する位置との相対的な位置を示す相対位置指示画像とするので、アンテナに対応する位置をユーザーに示すことができる。
【００２８】
好ましくは、指示画像表示手段は、表示される操作画面が予め定められた要求画面の場合、指示画像を強調した表示態様で表示する。
【００２９】
この局面に従えば、アンテナに対する操作が可能な操作画像を要求画面とすれば、ユーザーにアンテナに対する操作が可能であることを通知することができる。
【００３０】
好ましくは、アンテナに接続された通信手段を、さらに備え、指示画像表示手段は、通信手段が外部の装置を検出してから通信が終了するまで指示画像を強調した表示態様で表示する。
【００３１】
この局面に従えば、アンテナに対する操作が必要な期間をユーザーに通知することができる。
【００３２】
この発明の他の局面によれば、情報処理装置は、画像を表示可能な表示手段と、表示手段の表示面の上方または下方の面に設けられたアンテナと、アンテナに接続された通信手段と、１以上の構成部品から構成され操作画面を表示手段に表示する画面表示手段と、表示手段の表示面中で配置される位置がアンテナに対応する位置に定められており、かつ、形状およびサイズが予め定められた基準画像と操作画面に含まれる１以上の構成部品いずれかとの重なりを検出する重なり検出手段と、検出手段により重なりが検出される場合、操作画面に基準画像を配置した参考画像を通信手段により検出された外部の装置に表示させるために、参考画像を外部の装置に送信する送信制御手段と、を備える。
【００３３】
この局面に従えば、基準画像と構成部品とが重なる場合は、操作画面に基準画像を配置した参考画像が外部の装置に送信されるので、外部の装置を操作するユーザーにアンテナの位置を通知することができる。その結果、操作画面を表示しつつアンテナの位置を通知することが可能な情報処理装置を提供することができる。
【００３４】
この発明のさらに他の局面によれば、操作位置通知方法は、情報処理装置で実行される操作位置通知方法であって、情報処理装置は、画像を表示可能な表示手段と、表示手段の表示面の上方または下方の面に設けられたアンテナと、を備え、ユーザーによる設定を受け付けるための操作画面を表示手段に表示する画面表示ステップと、操作画面が表示されている状態で、アンテナの位置を示す指示画像を表示する指示画像表示ステップと、を含む。
【００３５】
この局面に従えば、操作画面を表示しつつアンテナの位置を通知することが可能な操作位置通知方法を提供することができる。
【００３６】
この発明のさらに他の局面によれば、操作位置通知プログラムは、情報処理装置を制御するコンピューターで実行される操作位置通知プログラムであって、情報処理装置は、画像を表示可能な表示手段と、表示手段の表示面の上方または下方の面に設けられたアンテナと、を備え、ユーザーによる設定を受け付けるための操作画面を表示手段に表示する画面表示ステップと、操作画面が表示されている状態で、アンテナの位置を示す指示画像を表示する指示画像表示ステップと、をコンピューターに実行させる。
【００３７】
この局面に従えば、操作画面を表示しつつアンテナの位置を通知することが可能な操作位置通知プログラムを提供することができる。
【図面の簡単な説明】
【００３８】
【図１】本発明の実施の形態におけるプリントシステムの全体概要の一例を示す図である。
【図２】本実施の形態におけるＭＦＰの外観を示す斜視図である。
【図３】本実施の形態におけるＭＦＰのハードウェア構成の一例を示すブロック図である。
【図４】ＮＦＣ通信部の詳細な構成の一例を示す図である。
【図５】操作パネルの平面図である。
【図６】本実施の形態におけるスマートフォンのハードウェア構成の概要を示すブロック図である。
【図７】第１の実施の形態におけるＭＦＰが備えるＣＰＵが有する機能の一例を示す図である。
【図８】操作画面の一例を示す第１の図である。
【図９】操作画面の一例を示す第２の図である。
【図１０】操作画面の一例を示す第３の図である。
【図１１】第１の実施の形態における操作位置表示処理の流れの一例を示すフローチャートである。
【図１２】指示画像決定処理の流れの一例を示すフローチャートである。
【図１３】変形例におけるＭＦＰが有するＣＰＵが有する機能の一例を示すブロック図である。
【図１４】操作画面の一例を示す第４の図である。
【図１５】操作画面の一例を示す第５の図である。
【図１６】変形例における操作位置表示処理の流れの一例を示すフローチャートである。
【図１７】変形例における指示画像決定処理の流れの一例を示すフローチャートである。
【図１８】第２の実施の形態におけるＭＦＰが備えるＣＰＵが有する機能の一例を示す図である。
【図１９】第２の実施の形態における操作位置表示処理の流れの一例を示すフローチャートである。
【発明を実施するための形態】
【００３９】
以下、本発明の実施の形態について図面を参照して説明する。以下の説明では同一の部品には同一の符号を付してある。それらの名称および機能も同じである。したがってそれらについての詳細な説明は繰り返さない。
【００４０】
＜第１の実施の形態＞
図１は、本発明の実施の形態におけるプリントシステムの全体概要の一例を示す図である。図１を参照して、プリントシステム１は、ＭＦＰ（Ｍｕｌｔｉ  Ｆｕｎｃｔｉｏｎ  Ｐｅｒｉｐｈｅｒａｌ）１００と、スマートフォン２００と、を含む。
【００４１】
スマートフォン２００は、携帯装置の一例であり、ユーザーにより携帯されて使用される。スマートフォン２００のハードウェア構成および機能は周知なので、ここでは説明を繰り返さない。
【００４２】
ＭＦＰ１００は、情報処理装置の一例であり、原稿を読み取るための原稿読取機能、画像データに基づいて紙などの記録媒体に画像を形成するための画像形成機能およびファクシミリデータを送受信するファクシミリ送受信機能を備えている。
【００４３】
無線局５およびＭＦＰ１００それぞれは、ネットワーク３に接続される。ネットワーク３は、ローカルエリアネットワーク（ＬＡＮ）であり、接続形態は有線または無線を問わない。またネットワーク３は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク３は、インターネットなどのワイドエリアネットワーク（ＷＡＮ）であってもよい。
【００４４】
スマートフォン２００は、無線ＬＡＮ機能を有し、無線局５と通信可能である。無線局５は、ネットワーク３の中継装置であり、無線ＬＡＮを用いた通信機能を備えたスマートフォン２００と通信して、スマートフォン２００をネットワーク３に接続する。このため、スマートフォン２００は、無線局５を介してＭＦＰ１００と通信可能である。ネットワーク３は、さらに、インターネットに接続されてもよい。この場合、スマートフォン２００およびＭＦＰ１００それぞれは、ネットワーク３を介してインターネットに接続されたコンピューターと互いに通信可能である。
【００４５】
さらに、ＭＦＰ１００、スマートフォン２００それぞれは、近距離無線通信機能を有し、相手の装置が所定の範囲内となる場合に互いに１対１で通信可能である。
【００４６】
図２は、本実施の形態におけるＭＦＰの外観を示す斜視図である。図３は、本実施の形態におけるＭＦＰのハードウェア構成の一例を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０とを含む。
【００４７】
後処理部１５５は、画像形成部１４０により画像が形成された１以上の用紙を並び替えて排紙するソート処理、パンチ穴加工するパンチ処理、ステープル針を打ち込むステープル処理を実行する。
【００４８】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ（Ｃｏｍｐａｃｔ  Ｄｉｓｋ  ＲＯＭ）１１８が装着される外部記憶装置１１７と、ＮＦＣ通信部１１９と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００の全体を制御する。
【００４９】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００５０】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、複数のキーからなるハードキー部１６７を備え、キーに対応するユーザーの操作による各種の指示、文字、数字などのデータの入力を受け付ける。操作部１６３は、表示部１６１上に設けられたタッチパネル１６５をさらに含む。
【００５１】
通信Ｉ／Ｆ部１１２は、ＭＦＰ１００をネットワーク３に接続するためのインターフェースである。ＣＰＵ１１１は、通信Ｉ／Ｆ部１１２を介して、スマートフォン２００との間で通信し、データを送受信する。また、通信Ｉ／Ｆ部１１２は、ネットワーク３を介してインターネットに接続されたコンピューターと通信が可能である。
【００５２】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００５３】
外部記憶装置１１７は、ＣＤ−ＲＯＭ１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００５４】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワーク３に接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワーク３に接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００５５】
図４は、ＮＦＣ通信部の詳細な構成の一例を示す図である。図４を参照して、ＮＦＣ通信部１１９は、ＮＦＣ通信制御部１７３と、ＮＦＣアンテナ１７１と、検出回路１７５と、を含む。ＮＦＣ通信制御部１７３は、ＮＦＣアンテナ１７１と接続される。ＮＦＣ通信制御部１７３は、ＣＰＵ１１１により制御され、ＮＦＣ（Ｎｅａｒ  Ｆｉｅｌｄ  Ｃｏｍｍｕｎｉｃａｔｉｏｎ）の近距離無線通信方式で外部の装置、例えば、スマートフォン２００と無線により通信する。ＮＦＣ通信部１１９が通信可能な距離は、数ｃｍである。ＮＦＣアンテナ１７１は、表示部１６１の表示面の上方または下方の面に配置される。具体的には、ＮＦＣアンテナ１７１は、表示部１６１の下方に配置された基板に形成されてもよく、表示部１６１の表示面よりも上に配置されてもよい。ＮＦＣアンテナ１７１は、表示部１６１の表示面よりも上に配置される場合、透明な材料によって形成される。また、表示部１６１の表示面よりも上に配置される場合、表示部１６１とタッチパネル１６５との間に配置されてもよいし、タッチパネル１６５の上に配置されてもよい。
【００５６】
検出回路１７５は、ＮＦＣアンテナ１７１がＮＦＣ通信部１１９が通信するために予め定められた周波数の電波を受信する場合に、ＣＰＵ１１１に外部の装置と通信可能になったことを示す信号を出力する。
【００５７】
図５は、操作パネルの平面図である。図５を参照して、操作パネル１６０は、表示部１６１と、タッチパネル１６５と、ハードキー部１６７と、を含む。表示部１６１の表示面と、タッチパネル１６５の検出面とは重ねて配置される。アンテナ領域１７１Ａは、表示部１６１の表示面中でＮＦＣアンテナ１７１と重なる領域である。
【００５８】
ハードキー部１６７は、複数のハードキーを含む。ハードキーは、接点スイッチであり、ＣＰＵ１１１と接続される。ハードキーは、ユーザーにより押下されていない状態でＯＦＦであり、ユーザーにより押下されるとＯＮになる。
【００５９】
図６は、本実施の形態におけるスマートフォンのハードウェア構成の概要を示すブロック図である。図６を参照して、本実施の形態におけるスマートフォン２００は、スマートフォン２００の全体を制御するためのＣＰＵ２０１と、カメラ２０２と、データを不揮発的に記憶するフラッシュメモリ２０３と、通話部２０５と接続された無線通信部２０４と、情報を表示する表示部２０６と、ユーザーの操作を受け付ける操作部２０７と、無線ＬＡＮＩ／Ｆ２０８と、ＮＦＣ通信部２０９と、加速度センサー２１０と、外部記憶装置２１１と、を含む。
【００６０】
表示部２０６は、液晶表示装置（ＬＣＤ）、有機ＥＬＤ等の表示装置であり、ユーザーに対する指示メニューや取得した画像データに関する情報等を表示する。操作部２０７は、メインキー２０７Ａと、タッチパネル２０７Ｂとを備える。また、ユーザーが、表示部２０６の表示面を指示する場合、操作部２０７は、タッチパネル２０７Ｂにより検出される表示面の位置をＣＰＵ２０１に出力する。ＣＰＵ２０１は、タッチパネル２０７Ｂによる検出された位置に基づいて、表示部２０６に表示されている画面中でユーザーにより指示された位置を検出する。ＣＰＵ２０１は、表示部２０６に表示されている画面と、タッチパネル２０７Ｂによる検出された位置とに基づいて、ユーザーの操作による各種の指示、文字、数字などのデータの入力を受け付ける。例えば、表示部２０６にテンキーの画像を含む画面を表示する場合には、タッチパネル２０７Ｂによる検出された位置に表示されたキーに対応する数字を受け付ける。
【００６１】
カメラ２０２は、レンズおよび光電変換素子を備え、レンズで集光した光を光電変換素子に結像し、光電変換素子は受光した光を光電変換して画像データをＣＰＵ２０１に出力する。光電変換素子は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー、ＣＣＤ（Ｃｈａｒｇｅ  Ｃｏｕｐｌｅｄ  Ｄｅｖｉｃｅ）センサー等である。
【００６２】
無線通信部２０４は、電話通信網に接続された携帯電話用基地局と無線通信する。無線通信部２０４は、スマートフォン２００を電話通信網に接続し、通話部２０５を用いた通話を可能とする。無線通信部２０４は、携帯電話用基地局から受信した無線信号を復調した音声信号を復号して通話部２０５に出力する。また、無線通信部２０４は、通話部２０５から入力される音声を符号化し、携帯電話用基地局に送信する。通話部２０５は、マイクおよびスピーカーを備え、無線通信部２０４から入力される音声をスピーカーから出力し、マイクから入力される音声を無線通信部２０４に出力する。さらに、無線通信部２０４は、ＣＰＵ２０１により制御され、スマートフォン２００を電子メールサーバーに接続し、電子メールを送受信する。
【００６３】
無線ＬＡＮＩ／Ｆ２０８は、無線局５と通信し、スマートフォン２００をネットワーク３に接続するためのインターフェースである。スマートフォン２００に、ＭＦＰ１００のＩＰ（Ｉｎｔｅｒｎｅｔ  Ｐｒｏｔｏｃｏｌ）アドレスを登録しておくことにより、スマートフォン２００は、ＭＦＰ１００と通信することができ、データの送受信が可能となる。
【００６４】
ＮＦＣ通信部２０９は、ＮＦＣの近距離無線通信方式でＭＦＰ１００と無線により通信する。ＮＦＣ通信部２０９は、例えば、ＭＦＰ１００との間の距離が通信可能な距離以下となると、ＭＦＰ１００と通信する。ＮＦＣ通信部２０９が通信可能な距離は、数ｃｍである。
【００６５】
加速度センサー２１０は、Ｘ軸、Ｙ軸およびＺ軸の３方向の加速度を測定する３軸加速度センサーである。加速度センサー２１０は、検出した加速度をＣＰＵ２０１に出力する。
【００６６】
フラッシュメモリ２０３は、ＣＰＵ２０１が実行するプログラム、またはそのプログラムを実行するために必要なデータを記憶する。ＣＰＵ２０１は、フラッシュメモリ２０３に記録されたプログラムを、ＣＰＵ２０１が備えるＲＡＭにロードして実行する。
【００６７】
外部記憶装置２１１は、スマートフォン２００に着脱自在であり、遠隔操作プログラムを記憶したＣＤ−ＲＯＭ２１１Ａが装着可能である。ＣＰＵ２０１は、外部記憶装置２１１を介してＣＤ−ＲＯＭ２１１Ａにアクセス可能である。ＣＰＵ２０１は、外部記憶装置２１１に装着されたＣＤ−ＲＯＭ２１１Ａに記録された遠隔操作プログラムを、ＣＰＵ２０１が備えるＲＡＭにロードして実行することが可能である。
【００６８】
なお、ＣＰＵ２０１が実行するプログラムとして、フラッシュメモリ２０３またはＣＤ−ＲＯＭ２１０Ａに記録されたプログラムについて説明したが、ネットワーク３に接続された他のコンピューターが、フラッシュメモリ２０３に記憶されたプログラムを書換えたプログラム、または、追加して書き込んだ新たなプログラムであってもよい。さらに、スマートフォン２００が、ネットワーク３に接続された他のコンピューターからダウンロードしたプログラムでもよい。ここでいうプログラムは、ＣＰＵ２０１が直接実行可能なプログラムだけでなく、ソースプログラム、圧縮処理されたプログラム、暗号化されたプログラム等を含む。
【００６９】
なお、ＣＰＵ２０１が実行するプログラムを記憶する媒体としては、ＣＤ−ＲＯＭ２１１Ａに限られず、光ディスク（ＭＯ／ＭＤ／ＤＶＤ）、ＩＣカード、光カード、マスクＲＯＭ、ＥＰＲＯＭ、ＥＥＰＲＯＭなどの半導体メモリであってもよい。
【００７０】
図７は、第１の実施の形態におけるＭＦＰが備えるＣＰＵが有する機能の一例を示す図である。図７に示す機能は、ＭＦＰ１００が備えるＣＰＵ１１１がＲＯＭ１１３、ＨＤＤ１１５またはＣＤ−ＲＯＭ１１８に記憶された操作位置表示プログラムを実行することにより、ＣＰＵ１１１に形成される機能である。なお、図７に示すＣＰＵ１１１の各機能は、入力に対して予め定められた処理を実行し、処理結果を出力する。このため、ＣＰＵ１１１の各機能は、リレー等を用いた電子回路で実現することができる。
【００７１】
図７を参照して、ＣＰＵ１１１は、操作画面を生成する操作画面生成部５１と、操作画面を表示部１６１に表示する画面表示部５３と、指示画像を表示する指示画像表示部５５と、を含む。
【００７２】
操作画面生成部５１は、予め定められた複数の構成部品の１以上を含む操作画面を生成し、生成された操作画面を画面表示部５３に出力する。操作画面は、ユーザーがＭＦＰ１００に処理を実行させるために、設定値を設定するための画面である。また、操作画面は、設定値を設定するための画面とは別の画面を含む、設定値を設定するための画面とは別の画面は、例えば、エラーが発生した場合にユーザーにエラーの内容を通知する操作画面、エラーへの対応方法を通知する操作画面を含む。設定値を設定するための操作画面において設定可能な設定値は、操作パネル１６０で受け付けられる設定値と、外部の装置から受信される設定値と、を含む。外部の装置から受信される設定値を設定可能な操作画面を、特定操作画面という。
【００７３】
操作画面は、１以上の構成部品を含む。複数の構成部品は、操作画面を構成するための部品であり、形状およびサイズが定められた画像を少なくとも含む。複数の操作画面ごとに、複数の構成部品のうちの１以上の構成部品と、その構成部品の操作画面中の位置とを定めた操作画面情報が予め定められている。操作画面生成部５１は、操作画面情報を参照して、複数の構成部品のうちの１以上の構成部品それぞれを、操作画面中でその構成部品に対して定められた位置に配置することにより操作画面の画像を生成する。操作画面生成部５１は、操作画面の画像を画面表示部５３に出力するとともに、操作画面情報を、指示画像表示部５５に出力する。限定するものではないが、構成部品は、機能が予め定められている。例えば、構成部品は、コマンドが割り当てられた指示受付ボタン、ユーザーにより入力される設定値を表示する入力領域、入力領域に表示される設定値を種類をユーザーに通知するための項目領域、ユーザーにメッセージを通知するメッセージ領域を、含むものがある。
【００７４】
なお、操作画面の画像をＨＤＤ１１５に記憶しておくようにしてもよい。この場合、操作画面生成部５１は、操作画面の画像を画面表示部５３に出力するとともに、操作画面情報を指示画像表示部５５に出力する。画面表示部５３は、表示部１６１を制御して、操作画面の画像を表示部１６１に表示する。これにより、ユーザーは、操作パネル１６０を操作して、ＭＦＰ１００に操作を入力することが可能となる。
【００７５】
指示画像表示部５５は、指示画像を表示部１６１に表示する。指示画像は、ＮＦＣアンテナ１７１の位置を示す画像である。
【００７６】
指示画像表示部５５は、重なり検出部６１と、第１表示態様表示部６３と、第２表示態様表示部６５と、通知部６７と、強調部６９と、通信検出部７１と、を含む。ここで、形状およびサイズと、表示部１６１の表示面中で配置される位置とが定められた基準画像が予め定められている。基準画像の表示部１６１の表示面中で配置される位置は、ＮＦＣアンテナ１７１に対応するアンテナ領域１７１Ａを基準に定められる。基準画像の形状およびサイズは、アンテナ領域１７１Ａの形状およびサイズと同じでもよいが、異なってもよい。また、基準画像に対して定められる操作画面中の位置は、基準画像の重心の位置を示し、表示部１６１の表示面中で、ＮＦＣアンテナ１７１に対応するアンテナ領域１７１Ａの重心である。また、基準画像のサイズが、アンテナ領域１７１Ａのサイズより大きい場合には、基準画像に対して定められる操作画面中の位置は、指示画像表示部５５は、基準画像がアンテナ領域１７１Ａを含む位置であればよい。
【００７７】
重なり検出部６１は、基準画像と操作画面に含まれる１以上の構成部品それぞれとの重なりを検出する。重なり検出部６１は、基準画像が１以上の構成部品のいずれとも重ならない場合は第１表示態様表示部６３に第１表示指示を出力する。重なり検出部６１は、基準画像が１以上の構成部品少なくとも１つと少なくとも一部で重なる場合は第２表示態様表示部６５に第２表示指示を出力する。
【００７８】
第１表示態様表示部６３は、第１表示指示が入力されることに応じて、基準画像を指示画像に決定し、指示画像を表示部１６１に継続して表示する。具体的には、第１表示態様表示部６３は、基準画像を指示画像に決定し、操作画面中で基準画像が配置される重畳部分に代えて指示画像を表示する。第１表示態様表示部６３は、指示画像を強調部６９に出力する。
【００７９】
第２表示態様表示部６５は、第２表示指示が入力されることに応じて、指示画像を表示した状態で操作画面中の重畳部分において操作画面に含まれる１以上の構成部品の少なくとも形状が表示される表示態様となるように基準画像に基づいて生成した画像を指示画像に決定し、決定された指示画像を表示部１６１に表示する。これにより、操作画面に含まれる１以上の構成部品のうち指示画像と重なる構成部品の形状が表示されるので、ユーザーに操作画面に含まれる１以上の構成部品の全てを通知することができる。第２表示態様表示部６５は、指示画像を表示する場合、指示画像を強調部６９に出力するとともに、通知部６７に通知指示を出力する。
【００８０】
第２表示態様表示部６５は、基準画像を透明にした画像を指示画像に決定する。ここでは、基準画像の形状を変更することにより基準画像を透明にした画像を生成する。具体的には、基準画像の形状を、その複数の部分を削除した形状に変更する。複数の部分は、連続する画素のうち所定間隔の部分であることが好ましい。指示画像は、基準画像の複数の部分を有しないので、指示画像が表示される場合、基準画像から削除された部分は操作画面の対応する部分の画像が表示される。これにより、指示画像を透明に表示することができ、指示画像中に操作画面の指示画像と重なる部分が表示される。
【００８１】
第２表示態様表示部６５は、基準画像のサイズを変更した画像を指示画像に決定するようにしてもよい。ここでは、基準画像を縮小した画像を指示画像に生成する。第２表示態様表示部６５は、操作画面に含まれる１以上の構成部品のうち、操作画面中で基準画像が配置される重畳部分と重なる構成部品を特定し、特定された構成部品の内に、指示画像が収まるように縮小率を決定する。これにより、操作画面に含まれる１以上の構成部品のうち基準画像と重なる構成部品の内側に指示画像が表示される。このため、構成部品の形状を表示しつつ指示画像が表示される。
【００８２】
第２表示態様表示部６５は、基準画像に操作画面の色に基づいて決定された色を付した画像を指示画像に決定するようにしてもよい。具体的には、第２表示態様表示部６５は、操作画面中で基準画像が配置される重畳部分の色と異なる色を基準画像に付加した画像を指示画像に決定する。重畳部分の色と異なる色は、重畳部分の色の補色とすることができる。これにより、操作画面に含まれる１以上の構成部品のうち基準画像と重なる構成部品において、基準画像と重なる部分が構成部品と異なる色で表示され、基準画像のうち構成部品と重ならない部分が操作画面の背景の色と異なる色で表示される。このため、構成部品を、その色が２色以上で形状を維持して表示され、さらに指示画像を、２色以上で形状を維持して表示される。
【００８３】
第２表示態様表示部６５は、基準画像を指示画像に決定し、指示画像を断続的に表示する。具体的には、第２表示態様表示部６５は、指示画像を所定時間間隔で表示する。例えば、指示画像を１秒間隔で表示と非表示とに切り換える。これにより、操作画面に含まれる１以上の構成部品のうち基準画像と重なる構成部品は、指示画像を表示している間は基準画像と重なる部分が表示されないが、指示画像を表示していない間は基準画像と重なる部分が表示される。
【００８４】
通知部６７は、第２表示態様表示部６５から通知指示が入力されることに応じて、基準画像の表示態様を変更して表示していることをユーザーに通知する。通知部６７は、第２表示態様表示部６５が指示画像の表示を終了すると、ユーザーへの通知を終了する。例えば、通知部６７は、表示部１６１に表示態様が変更していることを通知するためのメッセージを表示する。メッセージを表示する位置は、操作画面中で基準画像が配置される位置の近傍であることが望ましい。また、メッセージを表示する位置は、操作画面中に含まれる１以上の構成部品の何れとも重ならない領域であることが望ましい。また、通知部６７は、操作パネル１６０にＬＥＤ（Ｌｉｇｈｔ  Ｅｍｉｔｔｉｎｇ  Ｄｉｏｄｅ）を設けるようにして、ＬＥＤを点灯して光で通知するようにしてもよい。さらに、通知部６７は、操作パネル１６０にスピーカーを設け、スピーカーから音を発生するようにしてもよい。さらに、メッセージの表示、ＬＥＤの点灯および音の発生のうち２以上を組み合わせて通知するようにしてもよい。
【００８５】
強調部６９は、操作画面生成部５１から入力される操作画面情報で特定される操作画面が、外部の装置から受信される設定値を設定可能な特定操作画面の場合、指示画像を、操作画面中で目立つように強調した表示態様で表示する。これにより、ユーザーに携帯装置から設定値の入力が可能であることを通知することができる。
【００８６】
通信検出部７１は、ＮＦＣ通信部１１９を制御して、ＮＦＣ通信部１１９が他の装置と通信可能になったことを検出する。通信検出部７１は、ＮＦＣ通信部１１９が他の装置と通信可能になったことを検出すると、強調部６９に強調指示を出力する。ＮＦＣ通信部１１９は、他の装置との間で通信するための電波の周波数が予め定められている。このため、ＮＦＣ通信部１１９は、予め定められた周波数の電波を受信する場合に、他の装置と通信可能になる。なお、通信検出部７１は、ＮＦＣ通信部１１９が所定の周波数の電波を受信した時点で、通信可能になったと判断するものであり、ＮＦＣ通信部１１９が他の装置との間で通信経路を確立する必要はなく、他の装置を識別する必要もない。
【００８７】
強調部６９は、通信検出部７１から強調指示が入力されることに応じて、指示画像を、操作画面中で目立つように強調した表示態様で表示し、ＮＦＣ通信部１１９が他の装置との間の通信が終了すると指示画像の表示態様を基に戻す。これにより、ユーザーが、例えば、スマートフォン２００をＮＦＣアンテナ１７１に近づけて、ＮＦＣアンテナ１７１とスマートフォン２００との間の距離が所定の距離Ｌ１以内になると、指示画像が表示態様を強調して表示されるので、ユーザーは、指示画像の位置に気づき易くなる。
【００８８】
図８は、操作画面の一例を示す第１の図である。図８を参照して、操作画面３００は、５つの構成部品３０１〜３０５と、指示画像４０１と、を含む。５つの構成部品３０１〜３０５は、アンテナ領域１７１Ａと重ならないので、指示画像４０１は基準画像である。
【００８９】
図９は、操作画面の一例を示す第２の図である。図９を参照して、操作画面３００Ａは、８つの構成部品３０１，３１１〜３１７と、指示画像４０１Ａと、を含む。８つの構成部品３０１，３１１〜３１７のうち、３つの構成部品３１２〜３１４がアンテナ領域１７１Ａと重なる。このため、指示画像３１１は、基準画像を透明にした画像として示される。図では、透明な画像をハッチングで支援している。
【００９０】
図１０は、操作画面の一例を示す第３の図である。図１０を参照して、操作画面３００Ｂは、図９と同様の操作画面であり、８つの構成部品３０１，３１１〜３１７を含む。操作画面３００Ｂは、指示画像４０１Ｂを含む。８つの構成部品３０１，３１１〜３１７のうち、３つの構成部品３１２〜３１４がアンテナ領域１７１Ａと重なる。このため、指示画像４０１Ｂは、基準画像を縮小した画像として示される。指示画像４０１Ｂは、基準画像を構成部品３１３の内部に納まるサイズに縮小した画像であり、アンテナ領域１７１Ａの重心と、その重心が重なる位置に配置される。
【００９１】
＜強調表示態様の第１の具体例＞
強調部６９は、強調指示が入力されることに応じて、指示画像を拡大して表示する。
【００９２】
＜強調表示態様の第２の具体例＞
強調部６９は、協調指示が入力されることに応じて、指示画像を所定時間間隔で表示と非表示とを繰り返す。第２表示態様表示部６５により、指示画像が断続的に表示されている場合には、第２表示態様表示部６５による時間間隔よりも短い間隔で、表示と非表示とを繰り返す。
【００９３】
＜強調表示態様の第３の具体例＞
第２表示態様表示部６５によって指示画像が、基準画像を透明にした画像の場合、または、基準画像の色を操作画面の対応する部分の色の補色の画像の場合、指示画像を基準画像として表示する。
【００９４】
図１１は、第１の実施の形態における操作位置表示処理の流れの一例を示すフローチャートである。操作位置表示処理は、ＭＦＰ１００が備えるＣＰＵ１１１がＲＯＭ１１３、ＨＤＤ１１５またはＣＤ−ＲＯＭ１１８に記憶された操作位置表示プログラムを実行することにより、ＣＰＵ１１１により実行される処理である。なお、操作位置表示処理が実行される前の段階で、表示部１６１に表示するための操作画面が決定されている。図１１を参照して、ＣＰＵ１１１は、操作画面を生成し（ステップＳ０１）、処理をステップＳ０２に進める。操作画面情報を参照して、複数の構成部品のうちから操作画面情報で定められた構成部品を、操作画面情報で定められた位置に配置することによって操作画面を生成する。
【００９５】
ステップＳ０２においては、ステップＳ０１において生成された操作画面の画像を表示部１６１に表示し、処理をステップＳ０３に進める。ステップＳ０３においては、操作画面情報を参照して、操作画面に含まれる１以上の構成部品のうちに基準画像と重なる構成が存在するか否かを判断する。基準画像と重なる構成部品が存在すれば処理をステップＳ０４に進めるが、そうでなければ処理をステップＳ１４に進める。ステップＳ０４においては、指示画像決定処理を実行し、処理をステップＳ０５に進める。
【００９６】
図１２は、指示画像決定処理の流れの一例を示すフローチャートである。図１２を参照して、ＣＰＵ１１１は、指示画像を決定するためのパラメータとして形状が設定されているか否かを判断する（ステップＳ２１）。パラメータに形状が設定されるならば処理をステップＳ２２に進めるが、そうでなければステップＳ２２をスキップして処理をステップＳ２３に進める。ステップＳ２２においては、基準画像を透明な画像に変更し、処理をステップＳ２３に進める。
【００９７】
ステップＳ２３においては、指示画像を決定するためのパラメータとして色が設定されている場合、処理をステップＳ２４に進めるが、そうでなければステップＳ２４をスキップして処理をステップＳ２５に進める。ステップＳ２４においては、操作画面の基準領域が配置される重畳部分の色に基づいて色を決定し、決定した色を基準画像に付加し、処理をステップＳ２５に進める。
【００９８】
ステップＳ２５においては、指示画像決定のためのパラメータとしてサイズが設定されている場合、処理をステップＳ２６に進めるが、そうでなければステップＳ２６をスキップして処理を操作位置表示処理に戻す。ステップＳ２６においては、基準画像のサイズが操作画面に含まれる１以上の構成部分であって基準画像と重なる構成部分のサイズ以下となるサイズに基準画像を縮小し、処理を操作位置表示処理に戻す。
【００９９】
図１１に戻って、ステップＳ０４において、指示画像決定処理が終了すると指示画像が生成されている。次のステップＳ０５においては、ステップＳ０１において生成された操作画面が、特定操作画面か否かを判断する。特定操作画面ならば処理をステップＳ０６に進めるが、そうでなければ処理をステップＳ０７に進める。ステップＳ０６においては、操作画面中で基準画像に対して定められた位置に指示画像を所定時間間隔で表示し、処理をステップＳ０８に進める。ステップＳ０７においては、操作画面中で基準画像に対して定められた位置に指示画像を継続して表示し、処理をステップＳ０８に進める。ステップＳ０８においては、基準画像と異なる表示態様で指示画像が表示されていることを示すメッセージを表示部１６１に表示し、処理をステップＳ０９に進める。
【０１００】
ステップＳ０９においては、ＮＦＣ通信部１１９が他の装置、例えば、スマートフォン２００を検出したか否かを判断する。ＮＦＣ通信部１１９が予め定められた周波数の電波を受信したならば他の装置を検出したと判断する。ＮＦＣ通信部１１９が他の装置を検出したならば処理をステップＳ１０に進めるが、そうでなければ処理をステップＳ１３に進める。ステップＳ１０においては、指示画像を強調した表示態様で表示し、処理をステップＳ１１に進める。指示画像を強調した表示態様は、指示画像を拡大して表示する表示態様、指示画像を所定時間間隔で表示および非表示を切り換える表示態様を含む。
【０１０１】
ステップＳ１１においては、ＮＦＣ通信部１１９が他の装置との間の通信を終了したか否かを判断する。通信を終了したならば処理をステップＳ１２に進めるが、そうでなければ処理をステップＳ０９に戻す。ＮＦＣ通信部１１９による通信の終了は、他の装置との間で通信経路を確立し、その通信経路を切断する場合の他、他の装置と通信経路を確立することなく他の装置を検出しなくなる場合を含む。ステップＳ１２においては、ステップＳ１０において強調した表示態様での表示を終了し、処理をステップＳ１３に進める。
【０１０２】
ステップＳ１３においては、操作画面の表示が終了したか否かを判断する。ＭＦＰ１００を操作するユーザーによる入力される操作によって、操作画面が別の操作画面に切り換えられる場合、操作画面の表示が終了したと判断する。操作画面の表示が終了したならば処理を終了するが、そうでなければ処理をステップＳ０９に戻す。
【０１０３】
一方、ステップＳ１４においては、基準画像を指示画像に設定し、指示画像を基準画像に対して定められる操作画面中の位置に表示し、処理をステップＳ１５に進める。ステップＳ１５〜ステップＳ１９の処理は、ステップＳ０９〜ステップＳ１３の処理と同じである。したがって、ここでは説明を繰り返さない。
【０１０４】
＜変形例＞
図１３は、変形例におけるＭＦＰが有するＣＰＵが有する機能の一例を示すブロック図である。図１３を参照して、図７に示した機能と異なる点は、第１表示態様表示部６３および第２表示態様表示部６５が、第１指示画像表示部６３Ａおよび第２指示画像表示部６５Ａに変更された点である。その他の機能は、図７に示した機能と同じなので、ここでは説明を繰り返さない。
【０１０５】
第１指示画像表示部６３Ａは、第１表示指示が入力されることに応じて、基準画像を指示画像に決定し、指示画像を表示部１６１に継続して表示する。具体的には、第１指示画像表示部６３Ａは、基準画像を指示画像に決定し、操作画面中で基準画像が配置される重畳部分に代えて指示画像を表示する。第１指示画像表示部６３Ａは、指示画像を強調部６９に出力する。
【０１０６】
第２指示画像表示部６５Ａは、第２表示指示が入力されることに応じて、基準画像と異なる相対位置指示画像を指示画像に決定し、決定された指示画像を基準画像に対して定められた位置とは異なる位置で表示部１６１に表示する。具体的には、第２指示画像表示部６５Ａは、操作画面に含まれる１以上の構成部品のいずれとも重ならない空白領域内の位置を決定し、表示部１６１の表示面中でアンテナ領域に対応する位置との相対的な位置を示す相対位置指示画像を決定する。相対位置指示画像は、例えば、アンテナ領域までの距離を示す画像と、アンテナ領域の方向を示す画像とを含む。第２指示画像表示部６５Ａは、相対位置指示画像を、操作画面に含まれる１以上の構成部品のいずれとも重ならない空白領域内の位置で表示部１６１に表示する。
【０１０７】
図１４は、操作画面の一例を示す第４の図である。図１４を参照して、操作画面３００Ｂは、図９と同様の操作画面であり、８つの構成部品３０１，３１１〜３１７を含む。操作画面３００Ｃは、相対位置指示画像４１１を含む。相対位置指示画像４１１は、アンテナ領域１７１Ａを指し示す矢印の画像と、基準画像を縮小した画像と、「３０ｍｍ」の文字列の画像とを含む。また、相対位置指示画像４１１は、８つの構成部品３０１，３１１〜３１７のいずれとも重ならない領域に配置される。
【０１０８】
図１５は、操作画面の一例を示す第５の図である。図１５を参照して、操作画面３００Ｄは、図９と同様の操作画面であり、８つの構成部品３０１，３１１〜３１７を含む。操作画面３００Ｄは、相対位置指示画像４１１Ａを含む。相対位置指示画像４１１Ａは、基準画像を縮小した画像と、操作画面中のアンテナ領域１７１Ａを示す画像とを含む。また、相対位置指示画像４１１Ａは、８つの構成部品３０１，３１１〜３１７のいずれとも重ならない領域に配置される。
【０１０９】
図１６は、変形例における操作位置表示処理の流れの一例を示すフローチャートである。図１６を参照して、図１１に示した操作位置表示処理と異なる点は、ステップＳ０４およびステップＳ０５がステップＳ０４ＡおよびステップＳ０５Ａに変更された点、ステップＳ０６およびステップＳ０７が削除された点である。その他の処理は、図１１に示した処理と同じなのでここでは説明を繰り返さない。
【０１１０】
ステップＳ０４Ａにおいては、指示画像決定処理を実行し、処理をステップＳ０５Ａに進める。指示画像決定処理を実行することにより相対位置指示画像が生成され、相対位置指示画像の操作画面中の位置が決定される。ステップＳ０５Ａにおいては、ステップＳ０４Ａにおいて決定された相対位置指示画像を指示画像に決定し、指示画像をステップＳ０４Ａにおいて決定された操作画面中の位置で、表示部１６１に表示し、処理をステップＳ０８に進める。
【０１１１】
図１７は、変形例における指示画像決定処理の流れの一例を示すフローチャートである。図１７を参照して、ＣＰＵ１１１は、空白領域を決定する（ステップＳ３１）。操作画面中で、操作画面に含まれる１以上の構成部品のいずれとも重ならない領域を空白領域に決定する。そして、空白領域内で指示画像を配置するための位置を決定し（ステップＳ３２）、処理をステップＳ３３に進める。例えば、空白領域の中心の位置を指示画像を配置するための位置に決定する。次に、ステップＳ３２において決定された位置に対するアンテナ領域の相対位置を示す相対位置指示画像を決定し、処理を操作位置表示処理に戻す。例えば、ステップＳ３２において決定された位置からアンテナ領域までの方向および距離を示す画像を相対位置指示画像に決定する。
【０１１２】
以上説明したように、第１の実施の形態におけるＭＦＰ１００は、情報処理装置として機能し、表示部１６１に操作画面が表示されている状態で、表示部１６１の表示面の上方または下方の面に設けられたＮＦＣアンテナ１７１の位置を示す指示画像４０１，４０１，Ａ４０１Ｂ，４１１，４１１Ａを表示するので、操作画面を表示しつつアンテナの位置を通知することができる。
【０１１３】
また、ＭＦＰ１００は、基準画像と操作画面に含まれる１以上の構成部品いずれかとが重なる場合と重ならない場合とで、表示態様を異ならせて指示画像を表示するので、指示画像と構成部品とのいずれかを優先して表示させることができる。具体的には、ＭＦＰ１００は、基準画像と操作画面に含まれる１以上の構成部品いずれかとが重ならない場合は、基準画像を指示画像として表示し、重なる場合は、操作画面中で基準画像と重なる重畳部分において１以上の構成部品の少なくとも形状が表示される表示態様となるように基準画像に基づいて生成した画像が指示画像として表示する。このため、操作画面に含まれる１以上の構成部品の少なくとも形状が表示されるので、操作画面を見やすく表示することができる。より具体的には、基準画像と操作画面に含まれる１以上の構成部品いずれかとが重なる場合は、基準画像の形状およびサイズの１以上を変更した画像を指示画像として表示する。指示画像は、基準画像に基づいて生成された画像なので、指示画像が基準画像の代わりに表示されていることをユーザーに知らせることができ、アンテナの位置を示すことができる。
【０１１４】
また、基準画像と操作画面に含まれる１以上の構成部品いずれかとが重なる場合は、操作画面中で基準画像が配置される重畳部分の色に基づいて決定された色を基準画像に付加した画像を指示画像として表示するので、指示画像が基準画像であることをユーザーに知らせることができ、アンテナの位置を示すことができる。
【０１１５】
また、基準画像と操作画面に含まれる１以上の構成部品いずれかとが重ならない場合は、指示画像を継続して表示し、重なる場合は指示画像を断続的に表示する。このため、指示画像を断続的に表示するので、指示画像が表示されていない間、構成部品を表示することができる。
【０１１６】
また、ＭＦＰ１００は、基準画像と操作画面に含まれる１以上の構成部品いずれかとが重ならない場合は、操作画面中で基準画像が配置される重畳部分に代えて指示画像を表示するので、基準画像が指示画像として操作画面に重畳して表示される。このため、指示画像を操作画面よりも優先して表示することができ、アンテナの位置を示すことができる。
【０１１７】
また、基準画像と操作画面に含まれる１以上の構成部品いずれかとが重なる場合は、基準画像の表示態様が変更されたことを通知するので、ユーザーが指示画像を見つけやすくすることができる。
【０１１８】
また、ＭＦＰ１００は、表示される操作画面が予め定められた特定操作画面の場合、指示画像を強調した表示態様で表示するので、ユーザーにＮＦＣアンテナ１７１に対する操作、具体的には、スマートフォン２００をＮＦＣアンテナ１７１に近づける操作が可能であることを通知することができる。
【０１１９】
さらに、ＭＦＰ１００は、スマートフォン２００とのＮＦＣ通信規格に従った通信が終了するまで指示画像を強調した表示態様で表示するので、スマートフォン２００をＮＦＣアンテナ１７１に近づける操作が必要な期間をユーザーに通知することができる。
【０１２０】
変形例におけるＭＦＰ１００は、基準画像と操作画面に含まれる１以上の構成部品いずれかとが重ならない場合は、基準画像を指示画像として表示し、基準画像と操作画面に含まれる１以上の構成部品いずれかとが重なる場合は、基準画像と異なる画像を指示画像として表示する。このため、基準画像と操作画面に含まれる１以上の構成部品いずれかとが重なる場合と重ならない場合とで、指示画像と構成部品とのいずれかを優先して表示させることができる。
【０１２１】
具体的には、基準画像と操作画面に含まれる１以上の構成部品いずれかとが重なる場合は、操作画面に含まれる１以上の構成部品のいずれとも重ならない空白領域内に、表示部１６１の表示面中でアンテナ領域１７１Ａとの相対的な位置を示す相対位置指示画像を指示画像として表示する。このため、構成部品と指示画像とを同時に表示することができる。また、指示画像をアンテナ領域１７１Ａとの相対的な位置を示す相対位置指示画像とするので、ＮＦＣアンテナ１７１に対応する位置をユーザーに示すことができる。
【０１２２】
＜第２の実施の形態＞
第２の実施の形態におけるプリントの全体概要は、図１に示した概要と同じである。また、第２の実施の形態におけるＭＦＰの外観およびハードウェア構成は、図２および図３にそれぞれ示したそれらと同じである。
【０１２３】
図１８は、第２の実施の形態におけるＭＦＰが備えるＣＰＵが有する機能の一例を示す図である。図１８を参照して、図７に示した第１の実施の形態におけるＭＦＰ１００が有するＣＰＵ１１１の機能と異なる点は、第２表示態様表示部６５および通知部６７が削除された点、送信制御部７３が追加された点である。その他の機能は、図７に示した機能と同じなので、ここでは説明を繰り返さない。
【０１２４】
送信制御部７３は、画面表示部５３から操作画面が入力される。送信制御部７３は、通信検出部７１が他の装置と通信可能になったことを検出する場合、その装置の装置識別情報が入力される。ここでは、通信検出部７１が、スマートフォン２００と通信可能になったことを検出する場合を例に説明する。また、送信制御部７３は、重なり検出部６１が基準画像が１以上の構成部品のいずれかと重なることを検出する場合、基準画像が１以上の構成部品のいずれかと重なることが通知される。
【０１２５】
送信制御部７３は、通信Ｉ／Ｆ部１１２を制御して、通信検出部７１から入力される装置識別情報で特定される装置、ここでは、スマートフォン２００との間で通信経路を確立する。送信制御部７３は、重なり検出部６１によって基準画像が１以上の構成部品のいずれかと重なることが検出される場合、参考画像を生成し、参考画像をスマートフォン２００との間で確立された通信Ｉ／Ｆ部１１２を介してスマートフォン２００に送信する。参考画像は、表示部１６１の表示面中でアンテナ領域１７１Ａを示す画像である。例えば、操作画面生成部５１から入力される操作画面に基準画像を重畳した画像であってもよい。また、操作画面と同じサイズの空白の画面に、基準画像を重畳した画像であってもよい。スマートフォン２００においては、参考画像を受信すると、参考画像を表示するので、スマートフォン２００を操作するユーザーは、スマートフォン２００を近づける位置が、表示部１６１中でアンテナ領域１７１Ａであることを容易に知ることができる。
【０１２６】
図１９は、第２の実施の形態における操作位置表示処理の流れの一例を示すフローチャートである。なお、操作位置表示処理が実行される前の段階で、表示部１６１に表示するための操作画面が決定されている。図１９を参照して、図１１に示した操作位置表示処理と異なる点は、ステップＳ０４〜ステップＳ１３に代えて、ステップＳ４１〜ステップＳ４４が実行される点である。その他の処理は、図１１に示した処理と同じなのでここでは説明を繰り返さない。
【０１２７】
ＣＰＵ１１１は、ステップＳ４１において、参考画像を生成する。次のステップＳ４２においては、ＮＦＣ通信部１１９が他の装置、例えば、スマートフォン２００を検出したか否かを判断する。ＮＦＣ通信部１１９が予め定められた周波数の電波を受信したならば他の装置を検出したと判断する。ＮＦＣ通信部１１９が他の装置を検出したならば処理をステップＳ４３に進めるが、そうでなければ処理を終了する。ここでは、ＮＦＣ通信部１１９がスマートフォン２００と通信可能になったと判断する。
【０１２８】
ステップＳ４３においては、通信Ｉ／Ｆ部１１２を制御して、ステップＳ４２において検出された装置、ここでは、スマートフォン２００との間で通信経路を確立し、処理をステップＳ４４に進める。ステップＳ４４においては、ステップＳ４１において生成された参考画像を、通信経路を介して送信し、処理を終了する。これにより、スマートフォン２００においては、表示部２０６に参考画像が表示されるので、ユーザーは、スマートフォン２００を近づける位置を確認することができる。
【０１２９】
第２の実施の形態におけるＭＦＰ１００は、基準画像と構成部品とが重なる場合は、操作画面に基準画像を配置した参考画像をスマートフォン２００に送信するので、スマートフォン２００で参考画像を表示すれば、参考画像を見るユーザーは、ＮＦＣアンテナ１７１の位置を知ることができる。一方、ＭＦＰ１００は、基準画像を表示部１６１に表示しないので、操作画面に含まれる１以上の構成部品を表示することができる。
【０１３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１３１】
＜付記＞
（１）  前記指示画像表示手段は、前記基準画像の形状を変更する場合、前記基準画像の複数の部分を削除する、請求項４に記載の情報処理装置。
（２）  前記指示画像表示手段は、前記基準画像のサイズを変更する場合、前記基準画像を縮小する、請求項４に記載の情報処理装置。
（３）  前記指示画像表示手段は、前記重なりが検出される場合、前記操作画面中で前記基準画像が配置される重畳部分の色と異なる色を前記基準画像に付加した画像を前記指示画像に決定する、請求項５に記載の情報処理装置。
（４）  前記指示画像表示手段は、前記指示画像を強調表示する場合、前記指示画像を断続的に表示する、請求項１１または１２に記載の情報処理装置。
（５）  前記指示画像表示手段は、前記指示画像を強調表示する場合、前記指示画像を拡大して表示する、（４）、請求項１１および１２のいずれかに記載の情報処理装置。
【符号の説明】
【０１３２】
１  プリントシステム、３  ネットワーク、５  無線局、１００  ＭＦＰ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１１８  ＣＤ−ＲＯＭ、１１９  ＮＦＣ通信部、１２０  自動原稿搬送装置、１３０  原稿読取部、１４０  画像形成部、１５０  給紙部、１５５  後処理部、１６０  操作パネル、１６１  表示部、１６３  操作部、１６５  タッチパネル、１６７  ハードキー部、１７１  ＮＦＣアンテナ、１７１Ａ  アンテナ領域、１７３  ＮＦＣ通信制御部、１７５  検出回路、２００  スマートフォン、２０１  ＣＰＵ、２０２  カメラ、２０３  フラッシュメモリ、２０４  無線通信部、２０５  通話部、２０６  表示部、２０７  操作部、２０７Ａ  メインキー、２０７Ｂ  タッチパネル、２０８  無線ＬＡＮＩ／Ｆ、２０９  ＮＦＣ通信部、２１０  加速度センサー、２１１  外部記憶装置、５１  操作画面生成部、５３  画面表示部、５５  指示画像表示部、６１  検出部、６３  第１表示態様表示部、６３Ａ  第１指示画像表示部、６５  第２表示態様表示部、６５Ａ  第２指示画像表示部、６７  通知部、６９  強調部、７１  通信検出部、７３  送信制御部。
【図１】
2018114622.tif 000003
【図２】
2018114622.tif 000004
【図３】
2018114622.tif 000005
【図４】
2018114622.tif 000006
【図５】
2018114622.tif 000007
【図６】
2018114622.tif 000008
【図７】
2018114622.tif 000009
【図８】
2018114622.tif 000010
【図９】
2018114622.tif 000011
【図１０】
2018114622.tif 000012
【図１１】
2018114622.tif 000013
【図１２】
2018114622.tif 000014
【図１３】
2018114622.tif 000015
【図１４】
2018114622.tif 000016
【図１５】
2018114622.tif 000017
【図１６】
2018114622.tif 000018
【図１７】
2018114622.tif 000019
【図１８】
2018114622.tif 000020
【図１９】
2018114622.tif 000021